(57)【特許請求の範囲】
【請求項１】
スペクトラム拡散信号を２つの受信アンテナで受信し、該２つのアンテナで受信した各マルチパス信号を、各パスに対応する各逆拡散タイミングで逆拡散してから合成するアンテナダイバーシチ受信装置において、
該各パスのチャネル推定値を求め、該チャネル推定値を基に、該各パスについて該２つの両アンテナ間の干渉信号の相関を小さくする変換係数を算出する変換係数算出手段と、
前記各逆拡散タイミングにおける各逆拡散後の信号に該変換係数を乗じて干渉信号の相関が低減された前記２つのアンテナに対応する信号に変換する変換手段と、
該変換手段により変換された後の信号を合成する合成手段と、
を備えたこと特徴とするアンテナダイバーシチ受信装置。
【請求項２】
スペクトラム拡散信号を２つの受信アンテナで受信し、該２つのアンテナで受信した各マルチパス信号を、各パスに対応する逆拡散タイミングで逆拡散してから合成するアンテナダイバーシチ受信装置において、
該各パスのチャネル推定値を求め、該チャネル推定値を基に該２つの両アンテナ間の干渉信号の相関を小さくする変換係数を算出する変換係数算出手段と、
両アンテナの受信信号及びチャネル推定用逆拡散信号から、周辺セルからの干渉を含む雑音電力及び干渉電力を算出する算出手段と、
該変換係数、雑音電力及び干渉電力を基に、合成後の信号対干渉電力比が最大となる重み係数を算出する重み係数算出手段と、
該重み係数を前記逆拡散後の信号に乗じて重み付けを行った信号を合成する合成手段と、
を備えたこと特徴とするアンテナダイバーシチ受信装置。
【請求項３】
前記変換係数算出手段は、最も大きなパスのチャネル推定値を基に、該２つの両アンテナ間の干渉信号の相関を小さくする変換係数を算出することを特徴とする請求項１又は２に記載のアンテナダイバーシチ受信装置。
【発明の詳細な説明】
【０００１】
【発明の属する技術分野】
本発明は、アンテナダイバーシチ受信装置に関し、特に、スペクトラム拡散方式を用いた移動無線通信端末装置等におけるマルチパス合成を行うアンテナダイバーシチ受信装置に関する。
【０００２】
【従来の技術】
図１１に従来のアンテナダイバーシチ受信装置の信号合成部を示す。該受信装置において、二つのアンテナ１１−１０，１１−２０に入力された無線信号に対して、それぞれアンテナ毎の無線部１１−１１，１１−２１により低雑音増幅及び直交復調等を行い、アナログ／ディジタル（Ａ／Ｄ）変換器１１−１２，１１−２２によりディジタル信号に変換し、各パス（パス＃０〜パス＃Ｎ−１）毎に逆拡散した後、各パス毎の逆拡散信号を合成部１１−４により合成して復調信号を出力する。このように、スペクトラム拡散方式の受信装置では、マルチパス信号をパス毎に分離して逆拡散した後に合成するレイク（Ｒａｋｅ）合成という操作を行って復調信号の精度を高めている。
【０００３】
上記のようなスペクトラム拡散方式の受信装置において、二つのアンテナを使用してアンテナダイバーシチ受信を行う場合、両アンテナからのアナログ／ディジタル（Ａ／Ｄ）変換後の信号（以下「Ａ／Ｄ変換信号」という。）を用い、サーチャ１１−３によりパスを検出し、該パスの検出タイミングを基に逆拡散タイミングを決定する。
【０００４】
そして、各パス毎に該逆拡散タイミングを基準タイミングとして、各アンテナ毎のデータ用逆拡散部１１−１３，１１−２３により、受信データ信号の逆拡散を行う。なお、図１１の構成例は、両アンテナからの信号に対して共通の逆拡散タイミングで逆拡散を行っているが、各アンテナからの信号に対して各アンテナ毎に逆拡散タイミングを決定して逆拡散を行う構成のものもある。
【０００５】
両アンテナからのＡ／Ｄ変換信号は、データ用逆拡散部１１−１３，１１−２３による逆拡散と共に、各アンテナ毎のチャネル推定用逆拡散部１１−１４，１１−２４により、それぞれパイロットパターン信号に対して逆拡散を行い、該逆拡散信号をそれぞれの重み係数算出部１１−１５，１１−２５に出力する。
【０００６】
重み係数算出部１１−１５，１１−２５は、以下に説明する重み係数を算出し、該重み係数算出部１１−１５，１１−２５で算出された重み係数を、データ用逆拡散部１１−１３，１１−２３で逆拡散された受信データ信号に乗じて重み付けを行い、該重み付けを行ったアンテナ毎及びパス毎の逆拡散受信データ信号を、合成部１１−４により合成して復調信号を出力する。
【０００７】
重み係数算出部１１−１５，１１−２５では、一般に、各パス毎の希望信号の大きさ、又は希望信号の大きさと干渉電力の逆数との積を重み係数として算出する。希望信号の大きさと干渉電力の逆数との積を重み係数として重み付けを行って合成する方法は、最大比合成と呼ばれ、各パス及び各アンテナ間の干渉成分に相関が無い場合、最大比合成した信号の信号電力対干渉電力比（ＳＩＲ）は最大となる。
【０００８】
図１２に従来の重み係数算出部の構成例を示す。重み係数算出部は、前述のチャネル推定用逆拡散部からパイロットパターン信号の逆拡散信号（複素数）を入力し、パイロットパターンキャンセル部１２−１により、パイロットパターンを例えば全て“１”のパターン等に変換してパイロットパターンをキャンセルし、平均化部１２−２によりその一定シンボル数の平均値（チャネル推定平均値）を算出し、２乗演算部１２−３により該平均値の２乗を算出する。
【０００９】
また、チャネル推定用逆拡散部からの各パイロットパターン信号の逆拡散信号（複素数）を、２乗演算部１２−４によりその二乗値を求め、該二乗値（各シンボルの電力）を平均化部１２−５によりその一定シンボル数の平均（各シンボルの電力平均）を算出し、該電力平均から前述のチャネル推定平均値の２乗を減算することにより、信号の分散（干渉電力）を求める。
【００１０】
該信号の分散（干渉電力）はスムージング部１２−６により、過去の情報を使って平均化され、該平均化した干渉電力を逆数変換部１２−７により逆数に変換し、該逆数を前述のチャネル推定平均値に乗じることにより、重み係数（複素数）を算出する。そして、該重み係数（複素数）の複素共役を、前述の逆拡散受信データ信号に乗じ、チャネル伝搬路の影響を除去する。
【００１１】
このように、希望信号の大きさと干渉電力の逆数との積を重み係数として重み付けを行って逆拡散信号を合成した信号は、干渉成分に相関が無い場合、信号電力対干渉電力比（ＳＩＲ）は最大となるが、干渉成分に相関を生じることがあり、その場合は信号電力対干渉電力比（ＳＩＲ）が最大とならない。
【００１２】
例えば、図１３の（ａ）に示すように、基地局１３−３から移動無線通信端末装置（移動機）のダイバーシチアンテナ１３−１，１３−２ヘ、それぞれ二つのパス（アンテナ１３−１へはパス１１とパス１２、アンテナ１３−２へはパス２１とパス２２）から信号が到達する伝搬環境について考察する。
【００１３】
ここで、パス１１は伝搬路係数α1 ，遅延時間τ1 、パス１２は伝搬路係数α2 ，遅延時間τ2 、パス２１は伝搬路係数β1 ，遅延時間τ1 、パス２２は伝搬路係数β2 ，遅延時間τ2 であるとする。アンテナ１３−１において、パス１２はパス１１に対してτ2 −τ1 遅延し、同様にアンテナ１３−２において、パス２２はパス２１に対してτ2 −τ1 遅延する。
【００１４】
図１３の（ｂ）はこのような伝搬環境における逆拡散のタイミング関係を示す。（ｂ−１）は逆拡散符号列、（ｂ−２）はパス１１の受信信号、（ｂ−３）はパス１２の受信信号、（ｂ−４）はパス２１の受信信号、（ｂ−５）はパス２２の受信信号、のそれぞれのタイミングを示す。
【００１５】
そして、パス１１及びパス１２によるアンテナ１３−１の受信信号を、パス１１の逆拡散タイミングで逆拡散した場合、及びパス２１及びパス２２によるアンテナ１３−２の受信信号を、パス２１の逆拡散タイミングで逆拡散した場合、パス１２及びパス２２の受信信号を逆拡散した信号ｖ2 はどちらも、以下の（式１）となる。
【００１６】
【数１】
0004267811.tif 000002
但し、ｖT,k は送信信号、ｐk は逆拡散符号を表し、正しいタイミングで逆拡散すると希望信号が復元される。
【００１７】
干渉信号は上記の（式１）による逆拡散信号ｖ2 に伝搬路の係数を掛けた信号成分と雑音との和となる。従って、パス１２の雑音をｖN,1 、パス２２の雑音をｖN,2 とすると、アンテナ１３−１の干渉信号ｖI,1 及びアンテナ１３−２の干渉信号ｖI,2 は、
ｖI,1 ＝α2 ｖ2 ＋ｖN,1 、
ｖI,2 ＝β2 ｖ2 ＋ｖN,2 
となり、雑音成分ｖN,1 ，ｖN,2 を除くと、パス１２の伝搬路係数α2 及びパス２２の伝搬路係数β2 によって、両アンテナ間の干渉信号の相関が決定される。
【００１８】
即ち、両アンテナからの信号間で同じ逆拡散タイミングで逆拡散する場合、干渉成分については、伝搬路の影響が無ければ全く同じになり、伝搬路の影響のみで両アンテナ間の干渉成分の相関が決まる。そのため、伝搬路のフェージング変化が速い場合、両アンテナ間の干渉成分の相関は、伝搬路条件の変化により減少するが、フェージング変化が遅い場合、長い時間に亙って同じ伝搬路の状態が続くため、即ち伝搬路係数α2 ，β2 に変動が無いため、両アンテナ間の干渉信号の相関が大きいものとなる。
【特許文献１】
特開平７−２４０７０８号公報
【００１９】
【発明が解決しようとする課題】
スペクトラム拡散方式の直交符号を用いた移動通信システムの移動無線通信端末装置等において、下りチャネル信号を２つのアンテナでダイバーシチ受信する場合、両アンテナのマルチパス信号を同じタイミングで逆拡散して合成する際に、上述したように両アンテナ間の干渉信号に相関を生じることがあり、該両アンテナからの受信信号を単純に最大比合成したのでは、信号電力対干渉電力比（ＳＩＲ）が最大とならないことがある。
【００２０】
合成される信号の干渉成分に相関が無い場合、お互いの干渉成分を用いて干渉成分をキャンセルすることができない。しかし、アンテナダイバーシチ受信を行い、２つのアンテナからの信号に対して同じ逆拡散タイミングで逆拡散する場合、干渉成分間の相関を利用して干渉成分をキャンセルすることができる。
【００２１】
本発明は、上記スペクトラム拡散方式の移動通信システムにおける移動無線通信端末装置等において、ダイバーシティ受信用アンテナ間の干渉成分の相関を考慮して合成することにより、信号電力対干渉電力比（ＳＩＲ）を最大とすることができるアンテナダイバーシチ受信装置を提供することを目的とする。
【００２２】
【課題を解決するための手段】
本発明のアンテナダイバーシチ受信装置は、（１）スペクトラム拡散信号を２つの受信アンテナで受信し、該２つのアンテナで受信した各マルチパス信号を、各パスに対応する各逆拡散タイミングで逆拡散してから合成するアンテナダイバーシチ受信装置において、該各パスのチャネル推定値を求め、該チャネル推定値を基に、該各パスについて該２つの両アンテナ間の干渉信号の相関を小さくする変換係数を算出する変換係数算出手段と、前記各逆拡散タイミングにおける各逆拡散後の信号に該変換係数を乗じて干渉信号の相関が低減された前記２つのアンテナに対応する信号に変換する変換手段と、該変換手段により変換された後の信号を合成する合成手段と、を備えたものである。
【００２３】
また、（２）該各パスのチャネル推定値を求め、該チャネル推定値を基に該２つの両アンテナ間の干渉信号の相関を小さくする変換係数を算出する変換係数算出手段と、両アンテナの受信信号及びチャネル推定用逆拡散信号から、周辺セルからの干渉を含む雑音電力及び干渉電力を算出する算出手段と、該変換係数、雑音電力及び干渉電力を基に、合成後の信号対干渉電力比が最大となる重み係数を算出する重み係数算出手段と、該重み係数を前記逆拡散後の信号に乗じて重み付けを行った信号を合成する合成手段と、を備えたものである。
【００２４】
また、（３）変換係数算出手段は、最も大きなパスのチャネル推定値を基に、該２つの両アンテナ間の干渉信号の相関を小さくする変換係数を算出するものである。
【００２５】
【発明の実施の形態】
図１は、移動無線通信端末装置等に用いられる本発明のアンテナダイバーシチ受信装置の主要構成部を示す。同図は２つのアンテナのマルチパス信号を同じ逆拡散タイミングで逆拡散して合成するアンテナダイバーシチ受信装置の構成を示す。
【００２６】
該アンテナダイバーシチ受信装置において、第１及び第２のアンテナ１−１，１−２に入力された無線信号に対して、それぞれ無線受信部１−１１，１−２１により低雑音増幅及び直交復調等を行い、アナログ／ディジタル（Ａ／Ｄ）変換器１−１２，１−２２によりディジタル信号に変換し、該両アンテナの受信信号のＡ／Ｄ変換信号を用い、サーチャ１−３によりパスを検出し、該パスの検出タイミングを基に逆拡散タイミングを決定する。
【００２７】
そして、各パス毎の逆拡散部１−４により上記の逆拡散タイミングを基準タイミングとして、各アンテナの受信信号の逆拡散を行う。逆拡散部１−４は、パイロットパターン信号等のチャネル推定用信号を逆拡散した信号を変換係数・重み係数生成部１−５に出力し、データ信号を逆拡散した信号を信号変換・合成部１−６へ出力する。
【００２８】
変換係数・重み係数生成部１−５は、チャネル推定値を基に、干渉成分の相関が除去されるように変換係数・重み係数を算出し、該係数を信号変換・合成部１−６へ送出する。信号変換・合成部１−６は、干渉相関が除去されるよう、変換係数・重み係数生成部１−５から生成される係数を、データ信号の拡散信号に掛け合わせ、各アンテナ及び各パスの信号を合成し、該合成信号を信号処理部１−７へ出力する。
【００２９】
信号処理部１−７は、信号変換・合成部１−６から出力された合成信号の符号を復号化する処理等を行って、その出力信号をディスプレイ装置又はスピーカ等へ送出する。また、キーボード又はマイク等からの信号は送信部１−８で直交変調及び電力増幅等が行われた後、アンテナ共用器１−９を介してアンテナ１−２から送信される。
【００３０】
図２に干渉成分のアンテナ間の相関を考慮して干渉を除去する簡単な具体例を示す。同図の（ａ）は第１のアンテナ＃１で第１のパス１１（伝搬路係数α1 ）により希望信号が受信され、第２のパス１２（伝搬路係数α2 ）により干渉成分が受信された様子を示す。また、同図の（ｂ）は第２のアンテナ＃２で第１のパス２１（伝搬路係数β1 ）により希望信号が受信され、第２のパス２２（伝搬路係数β2 ）により干渉成分が受信された様子を示す。
【００３１】
このような場合、アンテナ＃１で受信した信号は同図（ｃ）に示すようにそのままとし、アンテナ＃２で受信した信号の干渉成分を、同図（ｄ）に示すようにアンテナ＃１の受信信号の干渉成分と打ち消し合うように回転させる。該回転は、アンテナ＃２の受信信号に変換係数を乗じ、アンテナ＃２の受信信号を変換することにより行う。そして、同図（ｃ）及び（ｄ）に示す信号を合成することにより、同図（ｅ）に示すように干渉成分が除去された信号を合成することができる。
【００３２】
図２の例のように干渉成分が零となる場合は、信号電力対干渉電力比（ＳＩＲ）は無限大となる。雑音成分を含むような場合でも、両アンテナの干渉成分の相関を基に干渉成分が互いに打ち消し合う変換を行った後、適当な重み係数で合成することで、合成信号の信号対干渉電力比を最大とすることができる。
【００３３】
図３は上記の干渉を無相関とする信号変換を行う本発明の実施形態を示す。同図において、第１及び第２のアンテナ１−１，１−２、無線部１−１１，１−２１、Ａ／Ｄ変換器１−１２，１−２２、サーチャ１−３は前述の図１に同符号で示したものと同様である。前述の図１の逆拡散部１−４は、図３においてデータ用逆拡散部１−１３，１−２３及びチャネル推定用逆拡散部１−１４，１−２４に相当する。
【００３４】
各アンテナ対応のＡ／Ｄ変換器１−１２，１−２２から出力されるＡ／Ｄ変換信号は、それぞれ、アンテナ対応の各データ用逆拡散部１−１３，１−２３及び各チャネル推定用逆拡散部１−１４，１−２４に入力され、各データ用逆拡散部１−１３，１−２３では、それぞれ対応するアンテナのＡ／Ｄ変換信号のデータ信号を逆変換する。
【００３５】
また、チャネル推定用逆拡散部１−１４，１−２４は、パイロットパターン信号等のチャネル推定用信号の逆拡散を行い、パスサーチャ１−３で検出した全てのパスについてその伝搬路係数を推定し、該伝搬路係数（チャネル推定値）を変換係数生成部１−５０へ入力する。
【００３６】
変換係数生成部１−５０では、チャネル推定値を用い、後述する演算を行って両アンテナ間の干渉信号の相関を無くす変換係数を求める。その変換係数は、データ用変数変換部１−６Ａ及びチャネル推定用変数変換部１−６Ｂに入力され、データ用変数変換部１−６Ａは該変換係数を用い、各アンテナ毎の逆拡散データ信号（変数）の変換を行う。
【００３７】
また、同様に前述の変換係数を用い、チャネル推定用変数変換部１−６Ｂは、各アンテナ毎の逆拡散パイロットパターン信号（変数）の変換を行う。該変換された各アンテナ毎の逆拡散パイロットパターン信号は、それぞれ各アンテナ対応の重み係数算出部１−５１，１−５２に入力される。
【００３８】
前述の変換係数生成部１−５０における変換係数の生成について、まず、全てのパスを考慮した場合の変換係数の算出について説明する。この場合の変換係数の算出フローを図４に示す。変換係数生成部１−５０には、各アンテナ対応にチャネル推定用信号の逆拡散信号が入力され、該逆拡散信号により各パスのチャネル推定値を求める（ステップ４−１）。ここで、αi ，βi は、各アンテナ１−１，１−２の、それぞれｉ番目のパスのチャネル推定値とする。
【００３９】
変換係数生成部１−５０は、チャネル推定値αi ，βi から、各アンテナのｎ番目のパスの逆拡散信号ｖ1,n ，ｖ2,n に対する変換係数ｂn,1,1 ，ｂn,1,2 ，ｂn,2,1 ，ｂn,2,2 を、以下の（式２）により算出する（ステップ４−２）。
【００４０】
【数２】
0004267811.tif 000003
【００４１】
上記（式２）により算出される変換係数ｂn,1,1 ，ｂn,1,2 ，ｂn,2,1 ，ｂn,2,2 を、各アンテナのｎ番目のパスの逆拡散信号ｖ1,n ，ｖ2,n に、以下の（式３）のように乗じることによって、逆拡散信号ｖ1,n ，ｖ2,n は、干渉の相関の無い信号ｕ1,n ，ｕ2,n へと変換される。
【００４２】
【数３】
0004267811.tif 000004
但し、「* 」は複素共役を表す。
【００４３】
次に、最も大きなパスの干渉の相関のみを考慮した場合の変換係数の算出について説明する。この場合の変換係数の算出フローを図５に示す。変換係数生成部１−５０には、各チャネルのチャネル推定用の逆拡散信号が入力され、該逆拡散信号により各パスのチャネル推定値を求める（ステップ５−１）。
【００４４】
次に、変換係数生成部１−５０でチャネル推定値の電力（両アンテナの合計電力）が最も大きくなるパスを探し出す（ステップ５−２）。ここで、最も大きなチャネル推定値の電力となったパスがｋ番目のパスであったとする。そのパスの干渉の相関のみを考慮した変換係数ｂn,1,1 ，ｂn,1,2 ，ｂn,2,1 ，ｂn,2,2 は、以下の（式４）により生成する（ステップ５−３）。
【００４５】
【数４】
0004267811.tif 000005
【００４６】
図６は上記（式２）又は（式４）によって算出される変換係数を使って上記（式３）による変数変換を行う変数変換部の構成を示す。変数変換部は、アンテナ＃１の受信信号の逆拡散信号ｖ1 と変換係数ｂ1,1 の複素共役を乗じる乗算器６−１と、アンテナ＃２の受信信号の逆拡散信号ｖ2 と変換係数ｂ1,2 の複素共役を乗じる乗算器６−２と、アンテナ＃１の受信信号の逆拡散信号ｖ1 と変換係数ｂ2,1 の複素共役を乗じる乗算器６−３と、アンテナ＃２の受信信号の逆拡散信号ｖ2 と変換係数ｂ2,2 の複素共役を乗じる乗算器６−４とを備える。
【００４７】
また、乗算器６−１と乗算器６−２の出力を加算する加算器６−５と、乗算器６−３と乗算器６−４の出力を加算する加算器６−６とを備える。各加算器６−５，６−６から変換信号が出力される。
【００４８】
上記（式３）による変換を行ったチャネル推定用変数変換部１−６Ｂからの出力信号は、図３に示す各アンテナ対応の重み係数算出部１−５１，１−５２に入力され、該重み係数算出部１−５１，１−５２では該入力信号を用い、例えば、前述の図１２に示した構成により重み係数を算出する。
【００４９】
そして、上記（式３）による変換を行ったデータ用変数変換部１−６Ａからの各アンテナ対応の出力信号に、アンテナ対応の重み係数算出部１−５１，１−５２から出力される重み係数を乗じ、該重み付けを行った信号を合成部１−６Ｃに出力し、合成部１−６Ｃは各パス毎に同様の処理を行った信号の全てを加算して合成し、復調信号として出力する。
【００５０】
重み係数の算出手法として、前述したようなパス毎に決定する手法の外に、全てのパスのチャネル推定値を求めると共に、周辺セルからの干渉を含む雑音電力及び自セルの干渉電力を求め、両アンテナの相関を考慮して合成した後の信号対干渉電力比が最大となるように求めることもできる。
【００５１】
図７は上記重み係数の算出を行って干渉を無相関とする本発明の実施形態を示し、図８に該重み係数の算出のフロー図を示す。図７に示すように、重み係数生成部７−１は、Ａ／Ｄ変換後の信号と各パス毎のチャネル推定用逆拡散信号とを用いて、重み係数を生成し、該重み係数を各パス毎の各受信アンテナの逆拡散信号に掛けて重み付けを行い、該重み付けを行った逆拡散信号を合成部により合成し、信号を復調する。
【００５２】
上記重み係数生成部７−１における重み係数の算出は、図８のフロー図に示す通り、各パスのチャネル推定用逆拡散信号を基に、各パスのチャネル推定値を求め（ステップ８−１）、また、該各パスのチャネル推定用逆拡散信号とＡ／Ｄ変換信号とを基に、周辺セルからの干渉を含む雑音電力及び自セルからの干渉電力を求め（ステップ８−２）、以下の（式５）を用いて重み係数ｗn,1 ，ｗn,2 を算出する（ステップ８−３）。
【００５３】
【数５】
0004267811.tif 000006
【００５４】
ここで、ｂn,1,1 ，ｂn,1,2 ，ｂn,2,1 ，ｂn,2,2 は、前述の（式２）で求めた値である。干渉電力２σI 2 Σ｜αi ｜2 及び雑音電力２σN 2 を算出する手段の一例を図９に示す。該算出手段には、Ａ／Ｄ変換信号及びチャネル推定用逆拡散信号が入力され、Ａ／Ｄ変換信号の電力平均（９−１）、チャネル推定用逆拡散信号の電力平均（９−２）及びチャネル推定平均値の２乗（９−３）を算出する。
【００５５】
Ａ／Ｄ変換信号は拡散された全ての成分を含み、逆拡散された信号の干渉成分は、拡散したパスの成分以外を含むことを利用して、Ａ／Ｄ変換信号の電力平均（９−１）から逆拡散された信号の干渉成分の電力（９−４）を引くことにより、当該パスのチャネル推定値の電力倍された干渉電力（９−５）を求めることができる。
【００５６】
次に、全パスのチャネル推定値の電力（９−６）に当該パスのチャネル推定値の電力（９−３）の逆数（９−７）を掛けた全パス対当該パスのチャネル推定値電力比（９−８）を、干渉電力（９−５）に掛けて干渉電力２σI 2 Σ｜αi ｜2 を求め、Ａ／Ｄ変換信号の電力平均（９−１）からこの干渉電力２σI 2 Σ｜αi ｜2 を引くことで雑音電力２σN 2 を求める。
【００５７】
また、前述の図７に示す実施形態において、図１０に示す算出フローに従って最も大きなパスの干渉成分の相関のみを考慮して重み係数を算出する構成とすることができる。即ち、各チャネルのチャネル推定用の逆拡散信号から各パスのチャネル推定値を求め（ステップ１０−１）、また、該チャネル推定用の逆拡散信号とＡ／Ｄ変換信号とから、周辺セルからの干渉を含む雑音電力と自セルからの干渉電力を求める（ステップ１０−２）。
【００５８】
次に、チャネル推定値の電力（両アンテナの合計電力）が最も大きくなるパスを探し出す（ステップ１０−３）。そして、そのパス情報と上記ステップ１０−２による周辺セルからの干渉を含む雑音電力及び自セルからの干渉電力から、（式５）を用いて、重み係数を算出する（ステップ１０−４）。この場合、（式５）におけるｂn,1,1 ，ｂn,1,2 ，ｂn,2,1 ，ｂn,2,2 ｂ,j,kは、（式４）により与えられる値である。
【００５９】
（付記１）  スペクトラム拡散信号を２つの受信アンテナで受信し、マルチパス信号を、同一逆拡散タイミングで逆拡散して合成するアンテナダイバーシチ受信装置において、各パスのチャネル推定値を求め、該チャネル推定値を基に両アンテナ間の干渉信号の相関を無くす変換係数を算出する手段と、前記逆拡散後の信号に該変換係数を乗じて干渉信号の相関が無い信号に変換する手段と、該干渉信号の相関の無い信号に変換した後の信号を合成する合成手段と、を備えたこと特徴とするアンテナダイバーシチ受信装置。
（付記２）  前記干渉信号の相関の無い信号に変換したチャネル推定用信号の干渉電力を求め、該干渉電力で正規化したチャネル推定値より重み係数を算出する手段を備え、前記合成手段は、該重み係数を干渉信号の相関の無い信号に変換した信号に乗じて重み付けした信号を合成することを特徴とする付記１に記載のアンテナダイバーシチ受信装置。
（付記３）  スペクトラム拡散信号を２つの受信アンテナで受信し、マルチパス信号を、同一逆拡散タイミングで逆拡散して合成するアンテナダイバーシチ受信装置において、各パスのチャネル推定値を求め、該チャネル推定値を基に両アンテナ間の干渉信号の相関を無くす変換係数を算出する手段と、両アンテナの受信信号及びチャネル推定用逆拡散信号から、周辺セルからの干渉を含む雑音電力及び干渉電力を算出する手段と、該変換係数、雑音電力及び干渉電力を基に、合成後の信号対干渉電力比が最大となる重み係数を算出する手段と、該重み係数を前記逆拡散後の信号に乗じて重み付けを行った信号を合成する手段と、を備えたこと特徴とするアンテナダイバーシチ受信装置。
（付記４）前記変換係数を算出する手段は、最も大きなパスのチャネル推定値を基に、両アンテナ間の干渉信号の相関を無くす変換係数を算出することを特徴とする付記１乃至３の何れかに記載のアンテナダイバーシチ受信装置。
【００６０】
【発明の効果】
以上説明したように、本発明によれば、スペクトラム拡散方式の移動通信システムにおける移動無線通信端末装置等において、ダイバーシティ受信用アンテナ間の干渉成分の相関を無くす変換又は重み付けを行って合成することにより、信号電力対干渉電力比（ＳＩＲ）が最大となるアンテナダイバーシチ受信を行うことができる。
【図面の簡単な説明】
【図１】本発明のアンテナダイバーシチ受信装置の主要構成部を示す図である。
【図２】本発明の干渉成分のアンテナ間の相関を考慮して干渉を除去する具体例を示す図である。
【図３】干渉を無相関とする信号変換を行う本発明の実施形態を示す図である。
【図４】本発明による全てのパスの干渉の相関を考慮した変換係数の算出フロー図である。
【図５】本発明による最も大きなパスの干渉の相関のみを考慮した変換係数の算出フロー図である。
【図６】本発明による変数変換部の構成を示す図である。
【図７】干渉を無相関とする重み付けを行う本発明の実施形態を示す図である。
【図８】本発明による全てのパスの干渉の相関を考慮した重み係数の算出のフロー図である。
【図９】本発明による重み係数算出に用いる干渉電力及び雑音電力導出部の構成を示す図である。
【図１０】本発明による最も大きなパスの干渉の相関のみを考慮した重み係数の算出のフロー図である。
【図１１】従来のアンテナダイバーシチ受信装置の信号合成部を示す図である。
【図１２】従来の重み係数算出部の構成例を示す図である。
【図１３】アンテナダイバーシチ受信の伝搬環境及び逆拡散タイミングの関係を示す図である。
【符号の説明】
１−１  第１のアンテナ
１−２  第２のアンテナ
１−１１，１−２１  無線受信部
１−１２，１−２２  アナログ／ディジタル（Ａ／Ｄ）変換器
１−３  サーチャ
１−４  逆拡散部
１−５  変換係数・重み係数生成部
１−６  信号変換・合成部
１−７  信号処理部
１−８  送信部
１−９  アンテナ共用器
【図１】
0004267811.tif 000007
【図２】
0004267811.tif 000008
【図３】
0004267811.tif 000009
【図４】
0004267811.tif 000010
【図５】
0004267811.tif 000011
【図６】
0004267811.tif 000012
【図７】
0004267811.tif 000013
【図８】
0004267811.tif 000014
【図９】
0004267811.tif 000015
【図１０】
0004267811.tif 000016
【図１１】
0004267811.tif 000017
【図１２】
0004267811.tif 000018
【図１３】
0004267811.tif 000019